(57)【要約】【課題】フード本体の端部側にも、吸引装置の吸引力を及ぼし得るレンジフードを提供する。【解決手段】レンジフード１は、フード本体１０、整流板２０（２０Ａ，２０Ｂ，２０Ｃ）及び吸引装置４０を備える。吸引装置４０は、フード本体１０の側壁１２と整流板２０の側壁２２との間に形成される流路Ｄ１（第一の流路）、天板１１の裏面と整流板２０の側壁２２の上端との間に形成される流路Ｄ２〜Ｄ４、及び天板１１に形成された貫通孔１１ｃを通して整流板２０の下方側の空気をフード本体１０の内部を経由して吸引する。流路Ｄ３，Ｄ４（第二の流路）の流路幅Ｗ２，Ｗ３は、天板１１の長手方向に沿って天板１１の貫通孔１１ｃから遠ざかるに従い、連続的に広くなるように設定される。【選択図】図９
2019049369.tif 000002
【特許請求の範囲】
【請求項１】
四角形状の天板と、前記天板の少なくとも一対の辺部を基端側としてそれぞれ下向きに延び出す一対の側壁とを有し、前記天板の下側が開放形状とされたフード本体と、
前記フード本体の内部に配置されるように前記天板に取り付けられ、前記天板に対向する四角形状の底板と、前記底板の一対の辺部を基端側としてそれぞれ上向きに延び出し、前記フード本体の対応する側壁と対向配置される一対の側壁とを有する整流板と、
前記フード本体の外部に配置されるように前記天板に取り付けられ、前記フード本体の側壁と前記整流板の側壁との間に形成される第一の流路、前記天板の裏面と前記整流板の側壁の上端との間に形成される第二の流路、及び前記天板に形成された貫通孔を通して前記整流板の下方側の空気を前記フード本体の内部を経由して吸引可能な吸引装置と、を備え、
前記第二の流路の流路幅は、前記天板の長手方向に沿って該天板の貫通孔から遠ざかるに従い、連続的に広くなるように設定されていることを特徴とするレンジフード。
【請求項２】
前記整流板の側壁は、前記天板の貫通孔に対応する位置にて、同じ壁高さに形成された水平部と、前記天板の貫通孔の孔縁から遠ざかるに従い、前記水平部の壁高さから直線状に減少するように形成された傾斜部とを有する請求項１に記載のレンジフード。
【請求項３】
前記整流板は、前記天板の長手方向に沿って複数のものが隣接して配置され、前記各整流板に形成された側壁の上端が前記天板の長手方向に沿って直線状に連なるよう、前記各整流板の側壁の高さが設定されている請求項２に記載のレンジフード。
【請求項４】
前記天板は長方形状とされ、前記天板の一対の辺部は一対の長辺部で構成され、前記天板の一対の短辺部側が開放形状とされており、前記整流板は、前記天板の一対の短辺部に対応する側が開放形状とされ、前記天板の全長が前記整流板の全長に比して長く設定されることで、前記整流板の各端部と前記天板の各端部との間の前記フード本体の内部に側方空間が確保され、前記側方空間には、複数の矩形状の板部材が正面視にてそれぞれ前記フード本体の側壁から水平外向きに突出しないように、異なる高さ位置で水平状かつ互いに平行となるように配置されている請求項１ないし請求項３のいずれか１項に記載のレンジフード。
【請求項５】
前記フード本体の側壁の両端は、正面視にて前記天板における長手方向の端から中央側へと下向きに凸となるように湾曲する湾曲縁とされ、前記各板部材は、上側から下側に位置するものほど、前記天板の長手方向における端側から中央側へと近づくように階段状に配置され、底面視にて前記各板部材の下面が下方へ露出するように配置されている請求項４に記載のレンジフード。
【請求項６】
前記整流板の端部が、前記各板部材の最下段に位置する板部材を構成する請求項５に記載のレンジフード。
【発明の詳細な説明】
【技術分野】
【０００１】
本発明は、レンジフードに関する。
【背景技術】
【０００２】
レンジフードは、例えば加熱機器の上方に配置され、下方から上昇してくる煙や湯気などを含む空気を吸引し、ダクト等を介して室外へ排出する（例えば下記特許文献１参照）。下記特許文献１に記載されたレンジフードでは、フードの厚さを薄く設定しつつも、煙や湯気等を含む空気の捕集効率が低下するのを回避するように構成されている。
【先行技術文献】
【特許文献】
【０００３】
【特許文献１】特開２０１５−９４４８３号公報
【発明の概要】
【発明が解決しようとする課題】
【０００４】
ところで、例えば業務用のレンジフードには、フード本体の間口（長手寸法）が２０００ｍｍを超える長尺仕様のものがある。このような仕様のものでは、吸引装置の吸引力を強く設定したとしても、フード本体の端部に近づく程、吸引装置の吸引力が著しく減少してしまうため、フード本体による空気の捕集効率が低下し、ひいては室内の換気効果が十分ではなかった。
【０００５】
本発明の課題は、フード本体の端部側にも、吸引装置の吸引力を及ぼし得るレンジフードを提供することにある。
【課題を解決するための手段及び発明の効果】
【０００６】
上記課題を解決するために、本発明のレンジフードは、
四角形状の天板と、前記天板の少なくとも一対の辺部を基端側としてそれぞれ下向きに延び出す一対の側壁とを有し、前記天板の下側が開放形状とされたフード本体と、前記フード本体の内部に配置されるように前記天板に取り付けられ、前記天板に対向する四角形状の底板と、前記底板の一対の辺部を基端側としてそれぞれ上向きに延び出し、前記フード本体の対応する側壁に対して対向配置される一対の側壁とを有する整流板と、前記フード本体の外部に配置されるように前記天板に取り付けられ、前記フード本体の側壁と前記整流板の側壁との間に形成される第一の流路、前記天板の裏面と前記整流板の側壁の上端との間に形成される第二の流路、及び前記天板に形成された貫通孔を通して前記整流板の下方側の空気を前記フード本体の内部を経由して吸引可能な吸引装置と、を備え、
前記第二の流路の流路幅は、前記天板の長手方向に沿って該天板の貫通孔から遠ざかるに従い連続的に広くなるように設定されていることを特徴とする。ここで、第二の二の流路の流路幅が連続的に広くなるとは、例えば、整流板の側壁の上端が所定の一次関数に従うことで、その傾きに応じて直線的に広くなったり、所定の二次関数に従うことで、その曲率に応じて曲線的に広くなったりすることを意味する。
【０００７】
本発明に係るレンジフードでは、整流板の下方側の空気が、フード本体の側壁と整流板の側壁との間に形成される第一の流路、天板の裏面と整流板の側壁の上端との間に形成される第二の流路、及び天板に形成された貫通孔を通してフード本体の内部を経由して吸引装置により吸引される。そして、上記第二の流路の流路幅は、天板の長手方向に沿って該天板の貫通孔から遠ざかるに従い、連続的に広くなるように設定されている。このため、フード本体の端部に近づく程、整流板から下方の領域に及ぶように吸引装置の吸引力を作用させることが可能となる。ひいては、フード本体の長手方向の全体にわたって均一な大きさの吸引力を作用させることが可能となる。
【図面の簡単な説明】
【０００８】
【図１】本発明の実施例１に係るレンジフードの取り付け状態を示す斜視図。
【図２】図１のレンジフードを斜め上側から見た斜視図。
【図３】図１のレンジフードを斜め下側から見た斜視図。
【図４】図１のレンジフードを側方かつ斜め下側から見た斜視図。
【図５】図１のレンジフードの正面図。
【図６】図１のレンジフードの平面図。
【図７】図１のレンジフードの底面図。
【図８】図７のVIII−VIII断面図。
【図９】図８の部分拡大図。
【図１０】図９のX−X部分拡大図。
【図１１】図４のXI−XI部分拡大正面図。
【図１２】図７のXII−XII断面図。
【図１３】図３のレンジフードにおいて、中央の整流板が開いた状態を示す斜視図。
【図１４】図３のレンジフードにおいて、左右の整流板が開いた状態を示す斜視図。
【図１５】フード本体の長手方向に沿った空気の流入態様を模式的に示す説明図。
【図１６】ルーバーにおいて、空気の流入態様を模式的に示す説明図。
【図１７】実施例１の変形例に係り、整流板の側壁を示す概略図。
【図１８】実施例１の変形例に係り、フード本体の端部を示す概略図。
【発明を実施するための形態】
【０００９】
以下、本発明の実施の形態について、図面を用いて説明する。
【実施例１】
【００１０】
図１は、本発明に係るレンジフードを適用した厨房用レンジフード１（以下、単にレンジフード１という）を示す。レンジフード１は、例えば室内に配置された加熱、電磁調理器などの上方に配置され、調理により発生する油煙や湯気などを含む空気（排出対象）を吸引し、室外へ排出するものである。レンジフード１は、フード本体１０、整流板２０、ルーバー３０及び吸引装置４０を備えている。
【００１１】
フード本体１０は、空気を捕集する機能を果たし、例えば底板が長方形状とされた薄型のトレイにおいて、底板の短辺部側に位置する一対の側壁が取り除かれて開放形状とされた扁平容器状のものを上下逆さまに引っ繰り返した態様をなす。具体的には、図２〜図７に示すように、フード本体１０は、長方形状の天板１１と、天板１１の一対の辺部としての一対の長辺部１１ａを基端側としてそれぞれ下向きに延び出す一対の側壁１２とを有し、天板１１の一対の短辺部１１ｂ側が開放されている。
【００１２】
天板１１の中央には、吸引装置４０に対応して上下に貫通する長方形状の貫通孔１１ｃが形成されている（図１３参照）。また、天板１１の裏面には、天板１１の短辺部１１ｂと平行に延び出し、貫通孔１１ｃを２等分するように横断する仕切り壁１１ｄが立設されている。仕切り壁１１ｄは、フード本体１０の内部を２室に区画し、各室を２等分された貫通孔１１ｃの互いに異なる側へ連通させる機能を果たす。
【００１３】
各側壁１２は、図４の側方斜視図に示すように、下向きに凹となるように湾曲する湾曲状、より具体的には下方へ向かうに従って両側壁１２間の距離が緩やかに拡がる程度の曲率を有する円弧状に形成されている。また、各側壁１２の長手方向の両端は、図５の正面図に示すように、天板１１における長手方向の端から中央側へと下向きに凸となるように湾曲する湾曲縁１２ａとされている。
【００１４】
整流板２０は、天板１１の長辺部１１ａ側から吸引される空気の流れを整える機能を果たし、フード本体１０と同様、扁平容器状に形成されている。整流板２０は、フード本体１０の内部に配置されるように天板１１に取り付けられている。本実施例１では、図３、図７、図１３、図１４に示すように、整流板２０として、複数の整流板２０Ａ，２０Ｂ，２０Ｃが天板１１の長手方向に沿って隣接して配置されている。
【００１５】
整流板２０Ａ，２０Ｂ，２０Ｃは、いずれも天板１１に対向する長方形状の底板２１と、天板１１の一対の長辺部１１ａと対応する底板２１の一対の辺部２１ａを基端側としてそれぞれ上向きに延び出し、フード本体１０の対応する側壁１２に対して対向配置される一対の側壁２２とを有する。底板２１の他方の一対の辺部２１ｂ側は、いずれも開放されている。
【００１６】
整流板２０Ｂ，２０Ｃの各底板２１は、同じ大きさの長方形状に形成されている。一方、整流板２０Ａの底板２１は、整流板２０Ｂ，２０Ｃの底板２１に比して大きな長方形状に形成されている。整流板２０Ａは、フード本体１０の中央部に対応して配置され、整流板２０Ｂ，２０Ｃは、整流板２０Ａを間に挟んで図示左右に配置されている。
【００１７】
整流板２０Ａは、図１３に示すように、天板１１に対し、取り付けブラケットを含むヒンジ部材２３により背面側の側壁２２の近傍にて天板１１の長辺部１１ａと平行に延びる軸線周りに回転可能に支持されている。整流板２０Ａの天板１１に対する回転に応じて、フード本体１０の中央部が開状態（図１３参照）又は閉状態（図３参照）となる。なお、整流板２０Ａは、２本のワイヤー２５によりフード本体１０の天板１１に連結されており、整流板２０Ａの開度が４５°程度となるように設定されている。整流板２０Ａは、取り付けブラケットを含む固定部材２４により天板１１に固定され、これにより、フード本体１０の中央部が閉状態となる。
【００１８】
これに対し、整流板２０Ｂ，２０Ｃは、図１４に示すように、天板１１に対し、取り付けブラケットを含むヒンジ部材２３により整流板２０Ａと隣り合う辺部２１ｂの近傍にて天板１１の短辺部１１ｂと平行に延びる軸線周りに回転可能に支持されている。整流板２０Ｂ，２０Ｃの天板１１に対する回転に応じて、フード本体１０の左右端部がそれぞれ開状態（図１４参照）又は閉状態（図３参照）となる。整流板２０Ｂ，２０Ｃは、取り付けブラケットを含む固定部材２４により天板１１に固定され、これにより、フード本体１０の各端部が閉状態となる。
【００１９】
整流板２０Ａ，２０Ｂ，２０Ｃが天板１１に固定されたフード本体１０の閉状態では、フード本体１０の内部空間が仕切り壁１１ｄにより２室に区画され（図１３参照）、フード本体１０内において、整流板２０Ｂ側から整流板２０Ａを経由した整流板２０Ｃ側への空気の流れ、及び整流板２０Ｃ側から整流板２０Ａを経由した整流板２０Ｂ側への空気の流れがいずれも阻止される。すなわち、空気は、整流板２０Ｂ側から整流板２０Ａを経て貫通孔１１ｃの一方を通って吸引装置４０側へ流れるか、整流板２０Ｃ側から整流板２０Ａを経て貫通孔１１ｃの他方を通って吸引装置４０側へ流れることとなる。
【００２０】
また、整流板２０Ａ，２０Ｂ，２０Ｃが天板１１に固定されたフード本体１０の閉状態では、図４、図７に示すように、フード本体１０の側壁１２と整流板２０Ａ，２０Ｂ，２０Ｃの側壁２２との間に、天板１１の長手方向に沿ってほぼ同じ流路幅の流路Ｄ１が形成される。流路Ｄ１が本発明の第一の流路に相当する。
【００２１】
整流板２０Ａの側壁２２は、図９、図１２、図１３に示すように、天板１１の貫通孔１１ｃに対応する位置にて、同じ壁高さに形成された水平部２２ａと、天板１１の貫通孔１１ｃの孔縁から遠ざかるに従い、水平部２２ａの壁高さから直線状に減少するように形成された傾斜部２２ｂとを有する。
【００２２】
具体的に、水平部２２ａは、天板１１の貫通孔１１ｃに対応して設けられ、貫通孔１１ｃの孔内の所定位置で傾斜部２２ｂに接続されている。これにより、天板１１の裏面と整流板２０Ａの側壁２２の上端との間には、水平部２２ａに対応する部位に形成される、ほぼ同じ流路幅Ｗ１を有する流路Ｄ２と、傾斜部２２ｂに対応する部位に形成される、天板１１の長手方向に沿って貫通孔１１ｃから遠ざかるに従い、流路幅Ｗ２が連続的に広くなる流路Ｄ３とが形成されている。当然のことながら、流路Ｄ３の流路幅Ｗ２（平均）は、流路Ｄ２の流路幅Ｗ１に比べて広い。流路Ｄ２において、その流路幅Ｗ１がほぼ同じ大きさに形成されているのは、整流板２０Ａの側壁２２の水平部２２ａは、吸引装置４０に最も近く、水平部２２ａの全体にわたって、ほぼ同じ大きさの強い吸引力が作用するため、ほぼ同じ流路幅Ｗ１としつつ、その幅長の絞り度合いを高めたものである。
【００２３】
整流板２０Ｂ，２０Ｃの側壁２２は、図９、図１２、図１４に示すように、整流板２０Ａの側壁２２の傾斜部２２ｂとほぼ直線状に連なり、天板１１の貫通孔１１ｃの孔縁から遠ざかるに従い壁高さが連続的に低くなるような下り勾配の傾斜部２２ｃを有する。このように、天板１１の裏面と整流板２０Ｂ，２０Ｃの各側壁２２の上端との間には、天板１１の長手方向に沿って貫通孔１１ｃから遠ざかるに従い、連続的に広くなる流路幅Ｗ３を有する流路Ｄ４がそれぞれ形成されている。
【００２４】
整流板２０Ａの側壁２２の傾斜部２２ｂ、及び整流板２０Ｂ，２０Ｃの側壁２２の傾斜部２２ｃは、流路Ｄ２〜Ｄ４を通る空気の流入量がフード本体１０の長手方向の全体にわたってほぼ均一となるように所定の下り勾配に設定されている（例えば、２°〜３０°程度、より好ましくは５°〜２０°程度）。流路Ｄ３，Ｄ４が本発明の第二の流路に相当する。
【００２５】
ルーバー３０は、天板１１の短辺部１１ｂ側から吸引される空気の流れを整え、かつフード本体１０の内部を外側から見えにくくする機能を果たし、複数の矩形状の板部材３１（本実施例では２つの場合を例示）を有し、図３、図１０、図１４に示すように、天板１１の各端部と、対応する整流板２０Ｂ，２０の各端部間におけるフード本体１０の内部に配置されるように、取り付けブラケット３２により天板１１に取り付けられている。天板１１の全長が整流板２０の全長に比して長く設定されることで、整流板２０Ｂ，２０Ｃの各端部と天板１１の各端部との間のフード本体１０の内部に側方空間Ｓ１が確保され（図１０参照）、この側方空間Ｓ１内にルーバー３０が配置されるようになっている。
【００２６】
各板部材３１は、図１０の正面視にてそれぞれフード本体１０の側壁１２から水平外向きに突出しないように、異なる高さ位置で水平状かつ互いに平行となるように配置されている。各板部材３１は、上側から下側に位置するものほど、天板１１の長手方向における端側から中央側へと近づくように階段状に配置され、図３に示すように、各板部材３１の下面が下方へ露出するように配置されている。
【００２７】
また、本実施例１では、図１０に示すように、整流板２０Ｂ，２０Ｃの各底板２１の端部には、水平外向きに延び出す延長部２１ｃが一体的に形成され、この延長部２１ｃが各板部材３１の最下段に位置する新たな板部材として機能するように構成されている。
【００２８】
吸引装置４０は、図１、図２、図５、図６、図８に示すように、ファン４１、カバー４２、ダクト４３などを備える。ファン４１は、フード本体１０の外部に配置されるように天板１１の中央部に取り付けられている。本実施例１では、フード本体１０の全長が比較的長い仕様であるため、２台のファン４１が使用されている。一方のファン４１は、仕切り壁１１ｄを境として、整流板２０Ｂ側から整流板２０Ａを経て貫通孔１１ｃの一方を通して空気を吸引する。他方のファン４１は、整流板２０Ｃ側から整流板２０Ａを経て貫通孔１１ｃの他方を通して空気を吸引する。
【００２９】
カバー４２は、両ファン４１の四方を覆うように、フード本体１０の天板１１に取り付けられている。カバー４２は、例えば寸切りボルトなどの取り付け部材５１により天井２に取り付けられる（図１参照）。なお、フード本体１０自身は、例えばワイヤーなどの取り付け部材５２により天井２に取り付けられる。カバー４２は、平面視にて楕円形状、レーストラック形状あるいは小判形状をなす段付き筒状部材で形成され、長軸がフード本体１０の長手方向と一致する向きに配置されている（図６参照）。
【００３０】
また、カバー４２は、その全高の１／８〜１／６程度の長さに相当する基端側の部位が小径部４２ｂとされ、残りの部位が大径部４２ａされている。このような小径部４２ｂを設けることで、カバー４２の高さが見かけ上、小径部４２ｂの高さ分だけ低くなったかのような視覚上の効果を得ることができる。ダクト４３は、一端がファン４１の排出口に接続され、中間部がカバー４２内を通り、天井２を経て、他端が室外に直接連通するように配置されるか、換気通路を経て室外に間接的に連通するように配置される。
【００３１】
以上のように構成されたレンジフード１では、図４、図９、図１５に示すように、整流板２０の下方側の空気が、フード本体１０の側壁１２と整流板２０の側壁２２との間に形成される流路Ｄ１、天板１１の裏面と整流板２０の側壁２２の上端との間に形成される流路Ｄ２〜Ｄ４、及び天板１１に形成された貫通孔１１ｃを通してフード本体１０の内部を経由して各ファン４１により吸引される。そして、流路Ｄ３，Ｄ４の流路幅Ｗ２，Ｗ３は、天板１１の長手方向に沿って天板１１の貫通孔１１ｃから遠ざかるに従い、連続的に広くなるように設定されている。
【００３２】
これにより、フード本体１０の端部に近づく程、整流板２０から下方の領域に及ぶように各ファン４１の吸引力を作用させることができ、フード本体１０の長手方向の全体にわたってほぼ均一な大きさの吸引力を作用させることができる（図１５参照）。その結果、フード本体１０が長尺仕様のものであっても、室内の換気効果を高めることができる。
【００３３】
また、上記実施例１では、整流板２０として、整流板２０Ａ，２０Ｂ，２０Ｃが天板１１の長手方向に沿って隣接して配置され、整流板２０Ａ，２０Ｂ，２０Ｃに形成された各側壁２２の上端が天板１１の長手方向に沿って直線状に連なるよう、各側壁２２の高さが設定されている。これにより、フード本体１０内の清掃やメンテナンスの向上を図りつつ、上記のようにフード本体１０の長手方向の全体にわたってほぼ均一な大きさの吸引力を作用させることができる。
【００３４】
また、上記実施例１では、ルーバー３０の各板部材３１は、上側から下側に位置するものほど、天板１１の長手方向における端側から中央側へと近づくように階段状に配置され、各板部材３１の下面が下方へ露出するように配置されている。これにより、例えば図１６に示すように、各ファン４１の作動時にフード本体１０に発生する負圧を側方空間Ｓ１の全域に効果的に及ぼすことができ、フード本体１０の短辺部１１ｂ側の側方を上昇する空気をほぼ漏れなく捕集することができる。
【００３５】
また、上記実施例１では、整流板２０Ｂ，２０Ｃの各底板２１の端部には、水平外向きに延び出す延長部２１ｃが一体的に形成され、この延長部２１ｃが各板部材３１の最下段に位置する新たな板部材として機能するように構成されている。これにより、ルーバー３０の構成が簡略化され、見た目にシンプルな印象を与えることができる。
【００３６】
上記実施例１では、整流板２０Ａの側壁２２が同じ壁高さに形成された水平部２２ａと、水平部２２ａの壁高さから直線状に減少するように形成された傾斜部２２ｂとを有するように構成され、整流板２０Ｂ，２０Ｃの側壁２２が傾斜部２２ｂと直線状に連なり、壁高さが連続的に低くなるような下り勾配の傾斜部２２ｃを有するように構成されていた。しかし、整流板２０の側壁２２の形状は、上記実施例１の場合に限らず、例えば図１７の変形例に示すように、整流板１２０Ａ，１２０Ｃの各側壁１２２の全体にわたって曲線状に緩やかに減少する湾曲部２２ｄ，２２ｅとしてもよい。
【００３７】
また、上記実施例１では、複数の整流板２０Ａ，２０Ｂ，２０Ｃを使用したが、一つの整流板のみを使用して、その側壁の壁高さが連続的に小さくなるように構成してもよい。
【００３８】
また、上記実施例１では、フード本体１０を構成する各側壁１２の長手方向の両端が、天板１１における長手方向の端から中央側へと下向きに凸となるように湾曲する湾曲縁１２ａとされるのに対応して、ルーバー３０を構成する各板部材３１が、上側から下側に位置するものほど、天板１１の長手方向における端側から中央側へと近づくように階段状に配置される構成とされていた。しかし、例えば図１８の変形例に示すように、天板１１１から下方へ延び出す各側壁１１２の長手方向の両端を鉛直方向に延びる直線縁１１２ａとし、ルーバー１３０を構成する各板部材１３１と、底板の延長部１２１ｃとを、その直線縁１１２ａに沿って上側から下側に段違いに配置するように構成してもよい。
【００３９】
なお、上記実施例１のようにルーバー３０を備えた態様から、ルーバー３０を省略した態様としてもよい。この場合、上記実施例１や図１８の変形例で示したように、天板１１，１１１の一対の短辺部１１ｂ，１１１ｂ側が、開放される形状であってもよいし、閉鎖される形状であってもよい。天板の一対の短辺部側が閉鎖される形状の場合は、天板の一対の長辺部に対応して設けられた流路Ｄ１〜Ｄ４を通して、フード本体１０内に空気が吸い込まれ、あるいは底板の延長部１２１ｃと天板の一対の短辺部との間に流路となる隙間が形成される場合は、その流路をも通して、フード本体１０内に空気が吸い込まれることとなる。
【００４０】
以上、本実施例１及びその変形例について説明したが、本発明は上記記載の態様に限定して解釈されるものではなく、本発明の趣旨を逸脱しない限り、種々の変更が可能である。例えば、天板１１は長方形状に限らず、正方形や台形などの四角形状に適宜変更可能である。
【符号の説明】
【００４１】
１  レンジフード
１０  フード本体
１１，１１１  天板
１１ａ  長辺部（辺部）
１１ｂ，１１１ｂ  短辺部（辺部）
１１ｃ  貫通孔
１１ｄ  仕切り壁
１２，１１２  側壁
１２ａ  湾曲縁
２０（２０Ａ，２０Ｂ，２０Ｃ）  整流板
２１  底板
２１ａ，２１ｂ  辺部
２１ｃ，１２１ｃ  延長部（整流板の端部）
２２，１２２  側壁
２２ａ  水平部
２２ｂ，２２ｃ  傾斜部
２２ｄ，２２ｅ  湾曲部
３０，１３０  ルーバー
３１，１３１  板部材
４０  吸引装置
４１  ファン
４２  カバー
４３  ダクト
Ｄ１  流路（第一の流路）
Ｄ２  流路
Ｄ３，Ｄ４  流路（第二の流路）
Ｗ１  流路Ｄ２の流路幅
Ｗ２  流路Ｄ３の流路幅
Ｗ３  流路Ｄ４の流路幅
Ｓ１  側方空間
【図１】
2019049369.tif 000003
【図２】
2019049369.tif 000004
【図３】
2019049369.tif 000005
【図４】
2019049369.tif 000006
【図５】
2019049369.tif 000007
【図６】
2019049369.tif 000008
【図７】
2019049369.tif 000009
【図８】
2019049369.tif 000010
【図９】
2019049369.tif 000011
【図１０】
2019049369.tif 000012
【図１１】
2019049369.tif 000013
【図１２】
2019049369.tif 000014
【図１３】
2019049369.tif 000015
【図１４】
2019049369.tif 000016
【図１５】
2019049369.tif 000017
【図１６】
2019049369.tif 000018
【図１７】
2019049369.tif 000019
【図１８】
2019049369.tif 000020